(57)【要約】【課題】本発明は地下タンクの底部に挿入される砕石基礎が崩れることを防止することを課題とする。【解決手段】地下タンクの埋設構造１０は、給油所の地下凹所２０にコンクリート基礎３０を形成し、コンクリート基礎３０上に円筒形状の地下タンク４０を載置する構成である。コンクリート基礎３０は、上面の周縁部に砕石基礎７０が流出することを防止する砕石基礎流出防止壁５０が形成されている。砕石基礎流出防止壁５０は、コンクリート基礎３０の全周に形成されているので、砕石を投入する際に、砕石がコンクリート基礎３０の外側に落下することを防止する。砕石基礎流出防止壁５０には、コンクリート基礎３０上に溜った水を外側の地層に排水するための排水路５２が複数箇所に設けられている。【選択図】図２
2010019025.tif 000002
【特許請求の範囲】
【請求項１】
地下に形成された凹所にコンクリート基礎を設け、該コンクリート基礎上に地下タンクを載置し、該地下タンクの底部側と前記コンクリート基礎との間に砕石基礎を形成する地下タンクの埋設構造において、
前記砕石基礎が流出することを防止する砕石基礎流出防止手段を設けたことを特徴とする地下タンクの埋設構造。
【請求項２】
前記砕石基礎流出防止手段は、前記コンクリート基礎上に起立して、又は、コンクリート基礎の側面に沿って起立して前記地下タンクの底部側の周囲を囲むように形成された壁部と、前記壁部の内側と外側とを貫通するように形成された排水路とから構成されたことを特徴とする請求項１に記載の地下タンクの埋設構造。
【請求項３】
前記砕石基礎流出防止手段は、前記コンクリート基礎と前記地下タンクの底部側との隙間に対応する形状を有する砕石収納体に砕石を収容させてなり、前記砕石が収容された砕石収納体を前記隙間に挿入させることを特徴とする請求項１に記載の地下タンクの埋設構造。
【請求項４】
前記砕石基礎流出防止手段は、前記砕石基礎の周囲を囲むように形成された透水シートよりなることを特徴とする請求項１に記載の地下タンクの埋設構造。
【請求項５】
上面側に硬度が低い軟らかい軟層が形成され、下面側に硬度が高い硬層が形成されるゴム製シートを前記コンクリート基礎上に載置し、
前記ゴム製シートの上面に前記地下タンクに設けられた補強用の突起が嵌合する溝を形成したことを特徴とする請求項１乃至４何れかに記載の地下タンクの埋設構造。
【発明の詳細な説明】
【技術分野】
【０００１】
本発明は地下タンクの埋設構造に係り、特に地下に形成された凹所に形成されるコンクリート基礎と地下タンクの底部との間に砕石基礎を介在させるように構成された地下タンクの埋設構造に関する。
【背景技術】
【０００２】
従来の地下タンクの埋設構造としては、地下に形成された凹所にコンクリート基礎を形成し、このコンクリート基礎の上に地下タンクが載置される台を設け、さらにコンクリート基礎と地下タンクの底部との間に砕石を敷き詰めると共に、スチールベルトなどによって地下タンクの外周をコンクリート基礎に保持し、さらに地下タンクの上部に土砂（山砂）を堆積させ、土砂層の上をコンクリート層で覆っている。
【０００３】
また、近年においては、コンクリート基礎に地下タンクを載置し、その周囲に砕石を敷き詰めて地下タンクの底部を保持する埋設構造が採用されつつある（例えば、特許文献１参照）。
【０００４】
この埋設構造に関して、消防庁より、消防危第３８号（平成１２年３月３０日付け）で、「地下貯蔵タンクの砕石基礎による施工方法について」の一部改正についての指針が発行されている。この指針によると、地下貯蔵タンク（以下「タンク」という。）をタンク室以外の場所に設置する場合の技術上の基準のうち、「当該タンクが堅固な基礎の上に固定されていること（危険物の規制に関する政令題１３条第１項第１号二（同条第２項において準用する場合を含む））」に関する施工方法のうち砕石基礎を用いる場合の施工方法を示すものであり、砕石基礎は、基礎スラブ、砕石床、支持砕石、充填砕石、埋め戻し部及び固定バンドにより構成するものであることが述べられている。
【特許文献１】特開平１０−２９７６９２号公報
【発明の開示】
【発明が解決しようとする課題】
【０００５】
しかしながら、地下凹所に挿入された地下タンクの周囲に砕石床、支持砕石、充填砕石に相当する砕石を投入する際に地下タンクが損傷したり、あるいは、砕石床、支持砕石、充填砕石に相当する砕石基礎の締め固めが不足していると、地下タンクにかかる荷重が偏る偏荷重となってしまうことが考えられる。
【０００６】
また、地下タンクの埋設箇所が地下水位の高い場所の場合には、地下タンクの周囲を埋める土砂が流出して砕石床、支持砕石、充填砕石に相当する砕石基礎が崩れることが考えられ、その場合は地下タンクが初期の埋設位置からずれてしまうことが考えられる。
【０００７】
そこで、本発明は上記事情に鑑み、上記課題を解決した地下タンクの埋設構造を提供することを目的とする。
【課題を解決するための手段】
【０００８】
上記課題を解決するため、本発明は以下のような手段を有する。
【０００９】
本発明は、地下に形成された凹所にコンクリート基礎を設け、該コンクリート基礎上に地下タンクを載置し、該地下タンクの底部側と前記コンクリート基礎との間に砕石基礎を形成する地下タンクの埋設構造において、前記砕石基礎が流出することを防止する砕石基礎流出防止手段を設けることにより、上記課題を解決するものである。
【００１０】
本発明は、前記砕石基礎流出防止手段が、前記コンクリート基礎上に起立して、又は、コンクリート基礎の側面に沿って起立して前記地下タンクの底部側の周囲を囲むように形成された壁部と、前記壁部の内側と外側とを貫通するように形成された排水路とから構成されることにより、上記課題を解決するものである。
【００１１】
本発明は、前記砕石基礎流出防止手段が、前記コンクリート基礎と前記地下タンクの底部側との隙間に対応する形状を有する砕石収納ネットに砕石を収容させ、前記砕石が収容された砕石収納ネットを前記隙間に挿入させることにより、上記課題を解決するものである。
【００１２】
本発明は、前記砕石基礎流出防止手段が、前記砕石基礎の周囲を囲むように形成された透水シートよりなることにより、上記課題を解決するものである。
【００１３】
本発明は、上面側に硬度が低い軟らかい軟層が形成され、下面側に硬度が高い硬層が形成されるゴム製シートを前記コンクリート基礎上に載置し、前記ゴム製シートの上面に前記地下タンクに設けられた補強用の突起が嵌合する溝を形成することにより、上記課題を解決するものである。
【発明の効果】
【００１４】
本発明によれば、コンクリート基礎上に砕石基礎が流出することを防止する砕石基礎流出防止手段を設けているため、砕石基礎の締め固めが不足した場合であっても地下水によって砕石が流出することを防止できる。また、砕石が収容された砕石収納ネットを地下タンクと基礎との間の隙間に入れるようにすれば、砕石投入による地下タンクの損傷を軽減することが可能になる。
【発明を実施するための最良の形態】
【００１５】
以下、図面を参照して本発明を実施するための最良の形態について説明する。
【実施例１】
【００１６】
図１は本発明による地下タンクの埋設構造の実施例１を示す斜視図である。図２は地下タンクの埋設構造の実施例１を示す縦断面図である。図１及び図２に模式的に示されるように、地下タンクの埋設構造１０は、給油所の地下凹所２０にコンクリート基礎３０（コンクリートスラブに相当）を形成し、コンクリート基礎３０上に円筒形状の地下タンク４０を載置する構成である。コンクリート基礎３０は、地下タンク４０の直径、全長よりも大きい横幅、全長を有し、上面の周縁部には、砕石床、支持砕石、充填砕石に相当する砕石基礎７０が流出することを防止する砕石基礎流出防止壁５０が形成されている。この砕石基礎流出防止壁（砕石基礎流出防止手段）５０は、コンクリート基礎３０の全周に形成されているので、砕石を投入する際に、砕石がコンクリート基礎３０の外側に落下することが防止される。
【００１７】
また、砕石基礎流出防止壁５０には、コンクリート基礎３０上に溜った水を外側の地層に排水するための排水路５２が複数箇所に設けられている。コンクリート基礎３０の上面の周縁部が砕石基礎流出防止壁５０に囲まれており、且つ砕石基礎流出防止壁５０の内側に溜った水を排水路５２から外側に排水できるため、コンクリート基礎３０上の砕石が雨水や地下水によって流出しにくくなる。
【００１８】
また、コンクリート基礎３０上には、地下タンク４０を両側から間隔を置いて挟むように４本の支柱６０が起立している。これらの４本の支柱６０は、図示していない地下タンク上部のコンクリートを支承し、地下タンク４０に余分な荷重が作用しないようにしている。
【００１９】
図２に示されるように、コンクリート基礎３０の上面には、砕石を積み重ねた砕石床、支持砕石、充填砕石に相当する砕石基礎７０が形成される。すなわち、地下タンク４０の底部とコンクリート基礎３０との間の隙間には、砕石が地下タンク４０の軸方向全長に亘って詰め込まれている。これにより、コンクリート基礎３０に載置された地下タンク４０は、側方へ転動することが防止されコンクリート基礎３０上に保持される。なお、図では砕石を簡略化して○形状で示している。
【００２０】
さらに、地下タンク４０は、砕石充填後に、コンクリート基礎３０に固定されたアンカーに下端が結合され上端がボルトにより固定されるスチールベルト８０によって固定される。そして、砕石基礎７０の上方には、土砂（山砂）９０が投入され、地下タンク４０の頂部より上方の所定高さまで土砂（山砂）９０によって埋め戻される。
【００２１】
また、砕石基礎７０は、砕石基礎流出防止壁５０によってコンクリート基礎３０の外側に崩れることが防止される。そのため、地下凹所２０に砕石を投入する際に砕石投入量を削減しても地下タンクを保持できるので、砕石投入による地下タンクの損傷を軽減することが可能になる。
【００２２】
また、地下タンク４０に貯蔵される油液は、給液のための汲み上げとタンクローリ車からの荷卸しとが繰り返されて荷重が大きく変動する。そして、地下タンク４０の貯蔵量変化によって砕石基礎７０にかかる荷重が増大したとき、砕石基礎７０の砕石が砕石基礎流出防止壁５０によって外側に移動することが阻止されるため、砕石基礎７０の上方や周囲に充填された土砂（山砂）９０が地下水によって流出しても砕石基礎７０が崩れることが防止される。
【００２３】
本例においては、砕石基礎流出防止壁５０をコンクリート基礎３０の上面に設けたものを示したが、別段これに限らず、コンクリート基礎３０の側面に沿うように砕石基礎流出防止壁５０を形成しても良い。
【実施例２】
【００２４】
図３は地下タンクの埋設構造の実施例２を示す斜視図である。図４は地下タンクの埋設構造の実施例２を示す縦断面図である。尚、図３及び図４において、上記実施例１と同一部分には、同一符号を付してその説明を省略する。
【００２５】
図３及び図４に示されるように、地下タンクの埋設構造１０Ａの砕石床、支持砕石、充填砕石に相当する砕石基礎７０Ａは、地下タンク４０の底部とコンクリート基礎３０の上面との間の隙間に対応する三角形状に形成された砕石収納体（砕石基礎流出防止手段）１００を地下タンク４０の底部両側に挿入することにより形成される。また、砕石収納体（砕石基礎流出防止手段）１００の周囲には、砕石収納体１００と同等高さまで砕石が積み上げられた砕石基礎７０も形成されている。
【００２６】
さらに、地下タンク４０は、コンクリート基礎３０に固定されたアンカーに下端が結合され上端がボルトにより固定されるスチールベルト８０によっても最終的に（砕石充填後に）固定されている。そして、砕石基礎７０、７０Ａの上方には、土砂（山砂）９０が投入され、地下タンク４０の頂部より上方の所定高さまで土砂（山砂）９０によって埋め戻される。
【００２７】
図５に示されるように、砕石収納体１００は、樹脂製ネットからなる網目状袋からなり、内部に砕石が収納され、地下水や雨水をネットの網目から通水（排水）させることができる。また、砕石収納体１００は、コンクリート基礎３０の上面に載置される底面１００ａと、地下タンク４０の底部の曲面に応じた湾曲した傾斜面１００ｂと、底面１００ａと傾斜面１００ｂとの間を囲む側面１００ｃ及び背面１００ｄとを有する。
【００２８】
このように、砕石収納体１００は、地下タンク４０の底部とコンクリート基礎３０との隙間に容易に挿入しやすい形状に形成され、且つ容易に運搬しやすい大きさ（例えば、重量２０Ｋｇ程度）に形成されている。そのため、砕石投入作業は、運搬しやすい大きさの砕石収納体１００を１個ずつ投入することになるので、作業員の負担が軽減され、効率良く砕石層７０Ａを形成することが可能になる。
【００２９】
従って、砕石基礎７０Ａは、地下タンク４０の底部とコンクリート基礎３０の上面との間の隙間に対応する形状に形成された複数の砕石収納体１００を地下タンク４０の底部両側に挿入させることで容易に形成することができる。
【００３０】
尚、砕石収納体１００としては、上記樹脂製ネットによる網目状袋でも良いし、あるいは通水性を有する布製の袋、あるいは通水用孔を有する樹脂製ボックスなどでも良い。
【００３１】
図６は地下タンクの埋設構造の実施例２の変形例を示す縦断面図である。図７は実施例２の変形例のタンク支持体を示す斜視図である。図８は変形例のタンク支持体に地下タンクが載置された状態を示す縦断面図である。尚、図６乃至図８において、上記実施例１、２と同一部分には、同一符号を付してその説明を省略する。また、図６は図８中Ｘ−Ｘ線に沿う縦断面図である。
【００３２】
図６乃至図８に示されるように、地下タンクの埋設構造１０Ｂは、コンクリート基礎３０の上面には、ゴム製シートからなるタンク支持体２００が載置されている。タンク支持体２００は、比較的硬度の低い（軟らかい）ゴム材により形成された軟層２１０と、比較的硬度の高い（硬い）ゴム材により形成された硬層２２０とを接合した２層構造のゴム製シートからなる。
【００３３】
そして、コンクリート基礎３０上面の周縁部に砕石基礎７０が流出することを防止する砕石基礎流出防止壁５０が形成されている。さらに、地下タンク４０の底部とコンクリート基礎３０の上面に載置されたタンク支持体２００との間の隙間には、三角形状に形成された砕石収納体１００が挿入されている。
【００３４】
軟層２１０はタンク支持体２００の上面側に形成され、硬層２２０はタンク支持体２００の下面側に形成されている。そして、軟層２１０の上面には、地下タンク４０の外周に突出する溶接の繋ぎ目であるリブ４２が嵌合する溝２１２が所定間隔で設けられている。地下タンク４０は、その外周に設けられた補強用のリブ４２が軟層２１０の溝２１２に嵌合することで、地下タンク４０の底部が軟層２１０に載置されることになり、リブ４２に応力集中することが防止される。また、地下タンク４０のリブ４２から外れた頂部外周には、コンクリート基礎３０に固定されたスチールベルト８０が当接され、スチールベルト８０の連結部分がボルトとナットの締付けにより地下タンク４０をコンクリート基礎３０に固定される。その際に、タンク支持体２００の軟層２１０は、地下タンク４０の底部側が押圧されて密着する。
【００３５】
地下タンク４０の底部とコンクリート基礎３０の上面との間には、両側から砕石収納体１００が挿入されて地下タンク４０が保持されると共に、砕石を積み重ねた砕石床、支持砕石、充填砕石に相当する砕石基礎７０が砕石収納体１００の外側の周囲を覆うように形成され、且つ砕石が地下タンク４０の軸方向全長に亘って詰め込まれる。これにより、砕石収納体１００の外側が砕石基礎７０によって保持されると共に、タンク支持体２００に載置された地下タンク４０は、側方へ転動することが防止されコンクリート基礎３０上に安定した状態に保持される。
【００３６】
さらに、砕石基礎７０、７０Ａの上方には、土砂（山砂）９０が投入され、地下タンク４０の頂部より上方の所定高さまで土砂（山砂）９０によって埋め戻される。
【００３７】
また、地下タンク４０は、タンク支持体２００の軟層２１０に載置されると、地下タンク４０の重量（油液の貯蔵量に応じて変化する）に応じて軟層２１０が弾性変形（圧縮変形）し、底部が軟層２１０の表面に食い込む。そのため、地下タンク４０は、タンク支持体２００により弾力的に支持されるため、例えば、油液が荷卸しされた際の重量増加による荷重がタンク支持体２００により吸収され、砕石収納体１００に荷重が集中しないように保持される。これにより、重量増加に伴う地下タンク４０の破損を防止することが可能になる。
【実施例３】
【００３８】
図９は地下タンクの埋設構造の実施例３を示す斜視図である。図１０は地下タンクの埋設構造の実施例３を示す縦断面図である。尚、図９及び図１０において、上記実施例１、２と同一部分には、同一符号を付してその説明を省略する。
【００３９】
図９及び図１０に示されるように、地下タンクの埋設構造１０Ｃは、地下凹所２０の内壁全を覆うように透水シート（砕石基礎流出防止手段）３００を敷設し、透水シート３００の上にコンクリート基礎３０を載置して固定し、コンクリート基礎３０の上面に地下タンク４０を載置する。さらに、地下タンク４０の底部とコンクリート基礎３０との間に砕石床、支持砕石、充填砕石に相当する砕石基礎７０を形成する。そして、砕石基礎７０を形成した後は、砕石基礎７０の上方及び地下タンク４０の頂部より上方の所定高さまで山砂３２０を投入することが規定されている。
【００４０】
コンクリート基礎３０及び砕石基礎７０の周囲（水平な４方向）は、透水シート３００によって覆われる。また、透水シート３００は、地下凹所２０の内壁全体を覆う高さまで形成されており、砕石基礎７０の崩れ及び山砂３２０の流出を防止すると共に、砕石基礎７０及び山砂３２０に含まれる水を外部に排水させることができる。
【００４１】
また、地下凹所２０の内壁には、山留め壁３１０が取り付けられている。この山留め壁３１０は、山砂３２０の地下凹所２０への投入が完了すると、地下凹所２０から取り外される。その後、透水シート３００の上端を内側に折り曲げて山砂３２０の上面を包み込むようにして透水シート３００の上部開口を閉じる。
【００４２】
このように、地下タンクの埋設構造１０Ｃでは、透水シート３００でコンクリート基礎３０の周囲から砕石基礎７０及び山砂３２０を覆うことにより地下水や雨水のみを外側に排水させると共に、砕石基礎７０の崩れ及び山砂３２０の流出を防止することが可能になる。
【産業上の利用可能性】
【００４３】
上記実施例では、油液を貯蔵する地下タンクを例に挙げて説明したが、これに限らず、油液以外の流体（例えば、ガス、化学薬品、食料品など）を貯蔵する地下タンクにも適用することができるのは勿論である。
【図面の簡単な説明】
【００４４】
【図１】本発明による地下タンクの埋設構造の実施例１を示す斜視図である。
【図２】地下タンクの埋設構造の実施例１を示す縦断面図である。
【図３】地下タンクの埋設構造の実施例２を示す斜視図である。
【図４】地下タンクの埋設構造の実施例２を示す縦断面図である。
【図５】砕石収納体１００の構成を示す斜視図である。
【図６】地下タンクの埋設構造の実施例２の変形例を示す縦断面図である。
【図７】実施例２の変形例のタンク支持体を示す斜視図である。
【図８】変形例のタンク支持体に地下タンクが載置された状態を示す縦断面図である。
【図９】地下タンクの埋設構造の実施例３を示す斜視図である。
【図１０】地下タンクの埋設構造の実施例３を示す縦断面図である。
【符号の説明】
【００４５】
１０，１０Ａ〜１０Ｃ  地下タンクの埋設構造
２０  地下凹所
３０  コンクリート基礎
４０  地下タンク
５０  砕石基礎流出防止壁
５２  排水路
６０  支柱
７０  砕石基礎
８０  スチールベルト
９０  土砂（山砂）
１００  砕石収納体
２００  タンク支持体
２１０  軟層
２１２  溝
２２０  硬層
３００  透水シート
３２０  山砂
３１０  山留め壁
【図１】
2010019025.tif 000003
【図２】
2010019025.tif 000004
【図３】
2010019025.tif 000005
【図４】
2010019025.tif 000006
【図５】
2010019025.tif 000007
【図６】
2010019025.tif 000008
【図７】
2010019025.tif 000009
【図８】
2010019025.tif 000010
【図９】
2010019025.tif 000011
【図１０】
2010019025.tif 000012